(57)【要約】【課題】携行時や保管時等における固定具本体の損傷を抑制することができる患部固定具を提供する。【解決手段】患部固定具は、平坦なシート状部材１０を備え、このシート状部材１０が、その一部を切り離しかつ変形させることによって副木を構成する固定具本体１１，１２，１３，１４を含んでいる。シート状部材１０は、複数の固定具本体１１，１２，１３，１４を含んでいてもよい。シート状部材１０は、用途の異なる複数の固定具本体１１，１２，１３，１４を含んでいてもよい。【選択図】図１
2018143782.tif 000002
【特許請求の範囲】
【請求項１】
平坦なシート状部材を備え、このシート状部材が、その一部を切り離しかつ変形させることによって副木を構成する固定具本体を含む、患部固定具。
【請求項２】
前記シート状部材は、複数の前記固定具本体を含む、請求項１に記載の患部固定具。
【請求項３】
前記シート状部材は、用途の異なる複数の前記固定具本体を含む、請求項１に記載の患部固定具。
【請求項４】
前記シート状部材は、他の固定具本体と組み合わせて用いる組合せ用の固定具本体を含む、請求項３に記載の患部固定具。
【請求項５】
前記組合せ用の固定具本体は、前記他の固定具本体に応じて形状を調整する調整部を含む、請求項４に記載の患部固定具。
【請求項６】
前記固定具本体以外の前記シート状部材の残部に、前記固定具本体の説明が表示されている、請求項１〜５のいずれか１項に記載の患部固定具。
【請求項７】
前記固定具本体には、当該固定具本体を患部へ装着するための装着用テープが取り付けられている、請求項１〜６のいずれか１項に記載の患部固定具。
【請求項８】
前記シート状部材は、段ボールからなる、請求項１〜７のいずれか１項に記載の患部固定具。
【請求項９】
前記固定具本体と組み合わせて用いる緩衝部材を、前記シート状部材とは別体で備えている、請求項１〜８のいずれか１項に記載の患部固定具。
【請求項１０】
平坦なシート状の部材からなり、かつ変形させることによって副木を構成する固定具本体を複数備え、複数の固定具本体は互いに用途が異なるものを含み、各固定具本体には、その用途が表示されている、患部固定具。
【請求項１１】
平坦なシート状の部材からなり、かつ変形させることによって副木を構成する固定具本体を備え、前記固定具本体の少なくとも一面に緩衝部材が取り付けられている、患部固定具。
【請求項１２】
シート状の部材からなり、かつ変形させることによって副木を構成する固定具本体と、この固定具本体を患部に装着するための装着テープとを備え、
装着テープは、一端部が前記固定具本体に取り付けられ、他端部に、粘着性を有する粘着部が設けられている、患部固定具。
【発明の詳細な説明】
【技術分野】
【０００１】
本発明は、骨折部位等の患部を固定するための患部固定具に関する。
【背景技術】
【０００２】
事故や災害で骨折等の負傷者が発生した場合、医療施設で処置を行うまでの間、患部の悪化を防ぎ、痛みの軽減を図るために、患部を一時的に固定する応急処置が行われる。一般的には、木板等の堅固な物を副木として用いることによって患部が固定されるが、周囲の状況によっては副木として用いる物を即座に調達できない場合もある。
そこで、下記の特許文献１には、応急処置のために自身で備品として準備したり、救急隊等が災害時の備品として携行したりすることができる救急用の患部固定具（救急用補装具）が提案されている。
【先行技術文献】
【特許文献】
【０００３】
【特許文献１】特開２００３−１０２１６号公報
【発明の概要】
【発明が解決しようとする課題】
【０００４】
特許文献１に記載の患部固定具は、軽量、小型、かつ安価であって携行を容易にするために、厚紙等の平板状部材によって構成されている。そして、使用の際には、平板状部材を腕や脚等の患部の表面形状に沿わせて折り曲げることによって、副木として用いることが可能となっている。
しかし、特許文献１に記載の患部固定具は、携行の際に周囲に接触したり、不慮の力が付与されたりすることによって、部分的に折れ曲がり損傷してしまうことがある。また、保管状態が悪い場合にも同様の問題が生じ得る。したがって、携行や保管に十分な配慮が必要である。
【０００５】
一方、この種の患部固定具は、災害時等にあらゆる負傷部位を迅速に固定できるようにすることが求められる。特許文献１に記載の患部固定具は、平板状部材を切断して長さを変えたり、折り曲げ方を変えることによって身体の複数の部位を固定できるように構成されている。
しかし、負傷部位によって太さや長さ等が異なるため、１つの形状の平板状部材を複数の部位に転用するにも限界があり、全ての部位に対して適切な固定を迅速に行えるとは言い難い。
【０００６】
また、特許文献１に記載の患部固定具は、直接皮膚に接触することによって不快感を与えるような部位には適用し難い。特に患部固定具を患部に巻き付けて密着させる場合には、患部固定具の端縁が皮膚に食い込みやすくなるため、痛みを与える可能性がある。
【０００７】
本発明は、以上の問題に鑑み、固定具本体の形状を保持し、携行時や保管時等における固定具本体の損傷を抑制することができる患部固定具を提供することを目的とする。
【０００８】
また、本発明は、複数の部位に対して適切な固定を迅速に行うことが可能な患部固定具を提供することを目的とする。
【０００９】
また、本発明は、患部に接触することによる刺激を和らげることができる患部固定具を提供することを目的とする。
【００１０】
また、本発明は、迅速かつ容易に患部を固定することができる患部固定具を提供することを目的とする。
【課題を解決するための手段】
【００１１】
本発明の第１の観点に係る患部固定具は、
平坦なシート状部材を備え、このシート状部材が、その一部を切り離しかつ変形させることによって副木を構成する固定具本体を含む。
【００１２】
本発明の第２の観点に係る患部固定具は、
平坦なシート状の部材からなり、かつ変形させることによって副木を構成する固定具本体を複数備え、複数の固定具本体は互いに用途が異なるものを含み、各固定具本体には、その用途が表示されている。
【００１３】
本発明の第３の観点に係る患部固定具は、
平坦なシート状の部材からなり、かつ変形させることによって副木を構成する固定具本体を備え、前記固定具本体の少なくとも一面に緩衝部材が取り付けられている。
【００１４】
本発明の第４の観点に係る患部固定具は、
シート状の部材からなり、かつ変形させることによって副木を構成する固定具本体と、この固定具本体を患部に装着するための装着テープとを備え、
装着テープは、一端部が前記固定具本体に取り付けられ、少なくとも他端部に、粘着性を有する粘着部が設けられている。
【発明の効果】
【００１５】
本発明の第１の観点に係る患部固定具によれば、固定具本体の形状を保持することができ、携行時や保管時等における固定具本体の破損を抑制することができる。
【００１６】
本発明の第２の観点に係る患部固定具によれば、複数の部位に対する適切な固定を迅速に行うことが可能となる。
【００１７】
本発明の第３の観点に係る患部固定具によれば、患部に接触することによる刺激を和らげることができる。
【００１８】
本発明の第４の観点に係る患部固定具によれば、迅速かつ容易に患部に装着することができる。
【図面の簡単な説明】
【００１９】
【図１】第１の実施形態に係る患部固定具を示す正面図である。
【図２】シート状部材を折り畳んだ状態を示す斜視図である。
【図３】足首用の固定具本体の展開図である。
【図４】足首用の固定具本体の組立図である。
【図５】足首用の固定具本体に表示された説明を示す図である。
【図６】足首用の固定具本体に表示された説明を示す図である。
【図７】（ａ）は、装着テープの取付状態を示す説明図、（ｂ）は、固定具本体に装    着テープを巻き付けた状態を示す図である。
【図８】ひじ用の固定具本体の展開図である。
【図９】ひじ用の固定具本体の組立図である。
【図１０】ひじ用の固定具本体に表示された説明を示す図である。
【図１１】ひじ用の固定具本体に表示された説明を示す図である。
【図１２】ひじ用の固定具本体に紐を取り付ける状態を示す説明図である。
【図１３】手首・指用の固定具本体の展開図である。
【図１４】手首・指用の固定具本体の組立図である。
【図１５】（ａ）手首・指用の固定具本体の使用形態を示す平面図、（ｂ）は同側面    図である。
【図１６】万能用の固定具本体の展開図である。
【図１７】万能用の固定具本体の組立図である。
【図１８】万能用の固定具本体に表示された説明を示す図である。
【図１９】付属品である緩衝部材と紐のセットを示す説明図である。
【図２０】緩衝部材の使用形態の一例を示す説明図である。
【図２１】緩衝部材の使用形態の他の例を示す説明図である。
【図２２】第２の実施形態に係る患部固定具を示す正面図（展開図）である。
【図２３】首用の固定具本体を示す平面図である。
【図２４】首用の固定具本体の使用状態を示す平面図である。
【図２５】首用の固定具本体の使用状態を示す側面図である。
【図２６】首用の固定具本体に表示された説明を示す図である。
【発明を実施するための形態】
【００２０】
［実施形態の要旨］
最初に本発明の実施形態の要旨を列記して説明する。なお、以下に記載する各実施形態は、その一部を任意に組み合わせることも可能である。
【００２１】
（１）一実施形態に係る患部固定具は、
平坦なシート状部材を備え、このシート状部材が、その一部を切り離しかつ変形させることによって副木を構成する固定具本体を含むものである。
【００２２】
上記構成の患部固定具によれば、固定具本体以外のシート状部材の残部が固定具本体の補強となり、また固定具本体を保護するので、保管時や携行時等の固定具本体の損傷を抑制することができる。
【００２３】
（２）上記（１）の構成において、前記シート状部材は、複数の前記固定具本体を含むことが好ましい。
このような構成によって、一枚のシート状部材を用いて複数の固定具本体の使用が可能となる。したがって、事故や災害等によって複数箇所の患部の固定が必要な場合や、複数人の患部の固定が必要な場合であっても対応可能となる。
【００２４】
（３）上記（１）の構成において、前記シート状部材は、用途の異なる複数の前記固定具本体を含むことが好ましい。
このような構成によって、一枚のシート状部材を用いて複数の部位のそれぞれを専用の固定具本体を用いて適切に固定することができる。そのため、事故や災害等の際に、患者の状態に応じてシート状部材の中から適切な固定具本体を選択して用いることができる。
【００２５】
（４）上記（３）の構成において、前記シート状部材は、他の固定具本体と組み合わせて用いる組合せ用の固定具本体を含んでいてもよい。
このような構成によって、患部の長さ等に応じて組合せ用の固定具本体を他の固定具本体に組み合わせることで、より適切な患部の固定が可能となる。
【００２６】
（５）上記（４）の構成において、前記組合せ用の固定具本体は、前記他の固定具本体に応じて形状を調整する調整部を含むことが好ましい。
このような構成によって、組合せ用の固定具本体を、組合せ相手となる他の固定具本体に適した形状に調整することができる。
【００２７】
（６）上記（１）〜（５）の構成において、前記固定具本体以外の前記シート状部材の残部に、前記固定具本体の説明が表示されていることが好ましい。
シート状部材の残部に固定具本体の説明（使用方法や用途等）が表示されることによって、固定具本体を切り離した状態であっても残部に表示された説明を確認することができる。また、固定具本体にも説明が表示される場合には、シート状部材の残部も含めてより多くの説明を表示することができる。
【００２８】
（７）上記（１）〜（６）の構成において、前記固定具本体には、当該固定具本体を患部へ装着するための装着用テープが取り付けられていることが好ましい。
このような構成によって、固定具本体を迅速かつ容易に患部に装着することができる。
【００２９】
（８）上記（１）〜（７）の構成において、前記シート状部材は、段ボールからなることが好ましい。
このような構成によって、軽量かつ安価であり、患部の固定に必要な強度を有する固定具本体を容易に形成することができる。
【００３０】
（９）上記（１）〜（８）の患部固定具は、前記固定具本体と組み合わせて用いる緩衝部材を、前記シート状部材とは別体で備えていてもよい。
このような構成によって、必要に応じて適切な箇所に緩衝部材を用いることができる。
【００３１】
（１０）他の実施形態に係る患部固定具は、
平坦なシート状の部材からなり、かつ変形させることによって副木を構成する固定具本体を複数備え、複数の固定具本体は互いに用途が異なるものを含み、各固定具本体には、その用途が表示されている。
【００３２】
この構成の患部固定具によれば、複数の部位のそれぞれを専用の固定具本体を用いて適切に固定することが可能となる。また、固定具本体には、その用途が表示されているので、複数の固定具本体の中から必要なものを迅速かつ容易に選択することができる。
【００３３】
（１１）上記（１）〜（１０）の構成において、前記シート状部材又は前記固定具本体は紙製であってもよい。この場合、シート状部材又は固定具本体は、少なくとも１つの面に撥水処理が施されていることが好ましい。
この構成によれば、シート状部材を紙製とすることによって、より軽量で安価な患部固定具を形成することができ、廃棄やリサイクルが容易となる。また、シート状部材又は固定具本体の少なくとも１つの面に撥水処理が施されているので、少量の水分の付着、例えば雨や血液等の付着によって変形したり、破れたりすることを防止することができる。
【００３４】
（１２）前記固定具本体は、手首を固定するものであってもよい。この場合、固定具本体には、指を通す孔が形成されていることが好ましい。
手首を負傷した場合、手首だけでなく手も含む範囲で固定することがあるが、固定具本体を手首に沿わせようとすると指が邪魔になる可能性がある。上記構成では、固定具本体に指を突出させる孔が形成されているので、固定具本体を手首に好適に沿わせることができる。
【００３５】
（１３）前記固定具本体の端縁は、波形にカットされていてもよい。
このような構成によって、固定具本体の端縁が患部に接触したときに与える刺激を軽減することができる。
【００３６】
（１４）更に他の実施形態に係る患部固定具は、
平坦なシート状の部材からなり、かつ変形させることによって副木を構成する固定具本体を備え、前記固定具本体の少なくとも一面に緩衝部材が取り付けられたものである。
【００３７】
上記構成の患部固定具は、緩衝部材を患部に接触させることで刺激を和らげることができ、使用者に不快感や痛みを与えることを防止することができる。
【００３８】
（１５）上記（１４）の構成において、固定具本体は、患部に巻いて使用するものであることが好ましい。
この場合、緩衝部材を患部に密着させせることができるので、確実に患部を固定することができる。
【００３９】
（１６）上記（１５）の構成において、前記固定具本体は、首に巻いて使用するものであってもよい。
このような構成によって、首に与える刺激を抑制しつつ首に緩衝部材を密着させて確実に首を固定することができる。
【００４０】
（１７）上記（１５）又は（１６）の構成において、固定具本体が紙製であり、紙の繊維方向が患部に巻き付ける方向に直交していることが好ましい。
このような構成によって、固定具本体を患部に巻き付け易くすることができる。
【００４１】
（１８）更に他の実施形態に係る患部固定具は、
シート状の部材からなり、かつ変形させることによって副木を構成する固定具本体と、この固定具本体を患部に装着するための装着テープとを備え、
装着テープは、一端部が前記固定具本体に取り付けられ、他端部に、粘着性を有する粘着部が設けられているものである。
【００４２】
上記構成の患部固定具は、予め固定具本体に取り付けられた装着テープによって、固定具本体を患部へ迅速かつ容易に装着することができる。
【００４３】
（１９）上記（１８）の構成において、装着テープは、患部に装着した固定具本体の外周に一周以上巻き付けることができる長さを有していることが好ましい。
このような構成によって、装着テープの他端部を、装着テープの一端部側の表面に接着させて固定することができる。固定具本体が紙製の場合、装着テープの他端部の粘着面を固定具本体自体に接着させると、位置調整等のために剥がして再度貼り直すことが困難となるが、装着テープの他端部を装着テープの一端部側の表面に接着させることで、当該他端部の粘着面を剥がして貼り直すことができる。
【００４４】
（２０）上記（１８）又は（１９）の構成において、装着テープは、折り畳んだ状態で固定具本体に取り付けられていることが好ましい。
これによって装着テープをコンパクトにした状態で固定具本体に取り付けることができる。
【００４５】
（２１）上記（１８）〜（２０）の構成において、装着テープの一端部と他端部との間は非粘着性であることが好ましい。
このような構成によって、装着テープの粘着面が直接患部に触れることが無く、使用者に不快感を与えることもない。
【００４６】
（２２）上記（１８）〜（２１）の構成において、装着テープの他端部側の先端は、非粘着性であることが好ましい。
このような構成によって、装着テープの他端部側の先端を手にもつことができるので、固定具本体の外周に巻き付ける動作を容易に行うことができる。
【００４７】
（２３）上記（１８）〜（２２）の構成において、装着テープは、固定具本体の表面に取り付けられていてもよい。
このような構成によって、装着テープの存在が固定具本体の表面側から把握し易くなる。
【００４８】
（２４）上記（１８）〜（２３）の構成において、装着テープは、固定具本体の裏面に取り付けられていてもよい。
【００４９】
［本発明の実施形態の詳細］
以下、本発明の好ましい実施形態について図面を参照しながら説明する。
［第１の実施形態］
図１は、第１の実施形態に係る患部固定具の正面図である。
第１の実施形態に係る患部固定具は、足首やひじ等の患部を固定するための複数の固定具本体１１〜１４が一枚のシート状部材１０によって提供されるものである。そして、シート状部材１０から所望の固定具本体１１〜１４を切り離すことによって、当該固定具本体１１〜１４を副木として使用することができる。
【００５０】
シート状部材１０は、自身の形状を保持することができる程度の剛性を有するシート材、例えば、段ボール紙により形成されている。シート状部材１０は長方形又は正方形等の四角形状に形成されている。
シート状部材１０の内側には、固定具本体１１〜１４の外周縁を象る打ち抜き線１７が設けられている。打ち抜き線１７は、例えば固定具本体１１〜１４の外周縁をその周囲のシート状部材１０に部分的に接続する形態（例えばミシン目）とすることができる。したがって、固定具本体１１〜１４は、カッターやはさみ等の切断具を用いることなく打ち抜き線１７を介して素手でシート状部材１０から切り離すことができる。
なお、以下の説明では、シート状部材１０のうち、固定具本体１１〜１４以外の部分を、シート状部材１０の「残部」１０ａという。
【００５１】
シート状部材１０には、用途が異なる複数種類の固定具本体１１〜１４が設けられている。具体的に、本実施形態のシート状部材１０には、足首用、ひじ用、手首・指用、万能板（万能用）の４種類の固定具本体１１〜１４が設けられている。
各固定具本体１１〜１４の表面には、それぞれの用途が表示されている。すなわち、各固定具本体１１〜１４には、「足首用」、「ひじ用」、「手首・指用」、「万能板」という表示がなされてる。また、各表示に併せて、「Ａｎｋｌｅ  ｕｓｅ」、「Ｅｌｂｏｗ  ｕｓｅ」、「Ｗｒｉｓｔ  ｕｓｅ」、「ｕｔｉｌｉｔｙ  ｂｏａｒｄ」という英語による用途の表示もなされている。
【００５２】
シート状部材１０の残部１０ａには、患部固定具の製品説明や、応急処置に関する説明等の各種の説明が表示されている。図１において、説明が表示される領域を符号Ｅ１で示す。各領域Ｅ１には、例えば、製品名、製造者名、販売者名、文字や図形等の標章が表示されている。また、領域Ｅ１には、使用方法を示す使用説明書や、使用者の注意を促すための注意書が表示されている。注意書としては、例えば図６に示すように、使用者に注意を促す感嘆符の図と、注意事項を示す文章とが表示される。
【００５３】
シート状部材１０は、一方の面に各種の説明が表示されているが、他方の面には表示されていない。本実施形態では、当該説明が表示された面を「表面」といい、他方の面を「裏面」という。
シート状部材１０は、図２に示すように半分に折り畳むことができる。シート状部材１０の中央には、折り畳みを容易にするために折り目線１６（図１参照）が形成されている。この折り目線１６は、固定具本体１１を部分的に圧縮して薄肉にすることで、折り曲げやすくしたものである。
【００５４】
シート状部材１０を半分に折り畳むことによって、保管や携行に必要なスペースを小さくすることができる。また、シート状部材１０を折り畳む場合、説明が表示された表面を外側に向けることにより、折り畳んだ状態でも外部から説明を確認することができる。
シート状部材１０の両面には撥水加工が施されている。これにより雨等の少量の水分が付着したとしても形状が崩れたり破れたりすることがない。撥水加工は、シート状部材１０の片方の面（例えば表面）のみに施されていてもよい。
【００５５】
次に、各用途の固定具本体１１〜１４について詳細に説明する。
＜足首用＞
図３は、足首用の固定具本体１１の展開図、図４は、足首用の固定具本体１１の組立図である。
足首用の固定具本体１１は、長方形状の背面部２１と、この背面部２１の両側の長辺に一辺が接続された略Ｌ字形状の側面部２２ａ，２２ｂと、側面部２２ａ，２２ｂの他の辺に接続された下面部２３ａ，２３ｂとを備えている。側面部２２ａ，２２ｂと背面部２１との境界には、山折り用の折り目線２４が形成されている。側面部２２ａ，２２ｂと下面部２３ａ，２３ｂとの境界にも山折り用の折り目線２４が形成されている。
【００５６】
一方の側面部２２ａと一方の下面部２３ａとの境界には、第１の差し込み溝２５が形成されている。また、この側面部２２ａと下面部２３ａとに跨る範囲で、第１の差し込み片２６が形成されている。
他方の下面部２３ｂの下側には、第２の差し込み片２７が一体に設けられている。この下面部２３ｂと第２の差し込み片２７との境界には山折り用の折り目線２４が形成されている。また、この下面部２３ｂと第２の差し込み片２７との境界には、第２の差し込み溝２８が形成されている。
【００５７】
足首用の固定具本体１１は、各折り目線２４で山折りし、両下面部２３ａ，２３ｂを重ね合わせながら第２の差し込み片２７を第１の差し込み溝２５に差し込み、第１の差し込み片２６を第２の差し込み溝２８に差し込むことによって、図４に示すように側面視で略Ｌ字状に組み立てられる。そして、この固定具本体１１の背面部２１及び下面部２３ａ，２３ｂと、両側面部２２ａ，２２ｂとに囲まれた空間に、使用者の足首及びその周辺部位を挿入することによって、固定具本体１１を足首用の副木として使用することができる。
【００５８】
図３に示すように、固定具本体１１には、複数の装着テープ６１が予め取り付けられている。具体的には、２本の装着テープ６１が、背面部２１から一方の側面部２２ｂにかけて取り付けられ、１本の装着テープ６１が、一方の下面部２３ｂから一方の側面部２２ｂにかけて取り付けられている。この装着テープ６１は、可撓性を有し、かつ引っ張り方向及び剪断方向の力に対して強く、容易に千切れない強度を有する合成樹脂製のテープとされている。
【００５９】
図７には、固定具本体１１の背面部２１と側面部２２ｂとに取り付けられた装着テープ６１が示されている。図７（ａ）に示すように、装着テープ６１の長さ方向の一端部と他端部とには、それぞれ接着剤が塗布されることによって粘着性をもった粘着面６２，６３が設けられている。一方の粘着面６２は、固定具本体１１の背面部２１及び側面部２２ｂの表面に貼り付けられ、これによって装着テープ６１が固定具本体１１と一体化されている。装着テープ６１の他方の粘着面６３には図示しない剥離紙が取り付けられ、この剥離紙を剥がすことによって粘着面６３を使用することができる。
【００６０】
図３及び図７（ａ）に示すように、装着テープ６１は、折り畳んだ状態で固定具本体１１に取り付けられている。具体的には、装着テープ６１の全部又は大部分が展開状態の固定具本体１１の面積内に収まるように折り畳まれている。装着テープ６１は、仮止め用のテープ６４によって折り畳んだ状態に保持されている。
【００６１】
組み立てた固定具本体１１に患部を挿入したあと、仮止め用のテープ６４を外し、図４に示すように、装着テープ６１を固定具本体１１の外周に巻き付けることによって、固定具本体１１を患部に装着することができる。装着テープ６１は、予め固定具本体１１に取り付けられているので、所定の位置に迅速に装着テープ６１を巻き付けることができる。また、装着テープ６１は、固定具本体１１の表面に取り付けられているので、装着テープ６１の存在を容易に把握することができ、仮止めテープ６４の取り外しや装着テープ６１を巻き付ける動作を迅速に行うことができる。もっとも、装着テープ６１は、固定具本体１１の裏面に取り付けることも可能である。
【００６２】
また、装着テープ６１は、図７（ｂ）に示すように、固定具本体１１に一周以上巻き付けることができる長さを有している。そのため、粘着面６３を、装着テープ６１の表面に貼り付けることができる。本実施形態の固定具本体１１は、段ボール紙によって形成されているので、粘着面６３を固定具本体１１の表面に貼り付けると、粘着面６３を剥がしたときに固定具本体１１の表面が破れて付着し、再度、粘着面６３を利用することができなくなる。本実施形態では、粘着面６３を装着テープ６１の表面に貼り付けることができるので、粘着面６３を装着テープ６１の表面から容易に剥がすことができ、再度貼り付けることも可能となる。そのため、装着テープ６１の巻き付け具合の調整等を繰り返し行うことができる。
【００６３】
図７（ａ）、（ｂ）に示すように、装着テープ６１の他端部側の先端部には、粘着性の無い部分６１ａが設けられている。したがって、剥離紙を剥がした後は、当該先端部６１ａを持つことによって、直接手が粘着面に触れてしまうのを防止することができる。また、装着テープ６１は、一端部と他端部とに粘着面６２，６３が設けられ、その間の部分には粘着性がない（非粘着性である）。そのため、固定具本体１１に挿入した患部Ｋに装着テープ６１の粘着面が触れてしまうこともない。
【００６４】
図４に示すように、固定具本体１１の側面部２２ａ，２２ｂの端縁には、突出部２９が形成されている。この突出部２９は、装着テープ６１に隣接する位置に配置されている。そして、突出部２９は、装着テープ６１のズレを防止するための位置決め部として機能している。突出部２９の先端は円弧状に丸められている。したがって、突出部２９が周囲に接触した場合の刺激を和らげることができる。
【００６５】
図３に示すように、固定具本体１１には、用途（「足首用」）の表示だけでなく、各種の説明を表示する領域Ｅ２が複数設けられている。たとえば、領域Ｅ２には、図５に示すように、固定具本体１１の組立方法を説明する図や文章の表示、完成した状態を説明する図や文章の表示、使用方法を説明する図や文章の表示がなされている。したがって、固定具本体１１を組み立てるときや患部に装着するときに、固定具本体１１に表示された説明を確認することによって、当該組立や装着を迅速且つ容易に行うことができる。また、説明の表示は、固定具本体１１を組み立てたときに外側に向く面に設けられている。そのため、固定具本体１１を組み立てるときや患部に装着するときにも、説明の表示が見やすくなる。なお、固定具本体１１の表面には、図５に示す説明だけでなく、図６に示すような注意を促す説明等も表示されている。
【００６６】
＜ひじ用＞
図８は、ひじ用の固定具本体１２の展開図、図９は、ひじ用の固定具本体１２の組立図である。
ひじ用の固定具本体１２は、長方形状の下面部３１と、この下面部３１の両側の長辺に一辺が接続された略Ｌ字形状の側面部３２ａ，３２ｂと、各側面部３２ａ，３２ｂの他の辺に接続された背面部３３ａ，３３ｂとを有している。下面部３１と側面部３２ａ，３２ｂとの境界、及び、側面部３２ａ，３２ｂと背面部３３ａ，３３ｂとの境界には、山折り用の折り目線３４が形成されている。一方の側面部３２ａと一方の背面部３３ａとの境界部には、第３の差し込み溝３５が形成されている。また、一方の側面部３２ａと一方の背面部３３ａとに跨って第３の差し込み片３６が形成されている。他方の背面部３３ｂには、第４の差し込み片３７が一体に設けられている。他方の背面部３３ｂと第４の差し込み片３７との境界には、山折り用の折り目線３４と、第４の差し込み溝３８とが形成されている。
【００６７】
ひじ用の固定具本体１２は、各折り目線３４で山折りし、背面部３３ａ，３３ｂ同士を重ね合わせながら第３の差し込み溝３５に第４の差し込み片３７を差し込み、第４の差し込み溝３８に第３の差し込み片３６を差し込むことによって、図９に示すように、側面視で略Ｌ字形状に組み立てられる。
そして、下面部３１及び背面部３３ａ，３３ｂと、両側面部３２ａ，３２ｂとに囲まれた空間に、ひじ及びその周辺部位を挿入することで、固定具本体１２をひじ用の副木として使用することができる。
【００６８】
ひじ用の固定具本体１２は、足首用の固定具本体１１と同様に略Ｌ字形状に形成され、非常に似た形状に形成されているが、Ｌ字形状の各辺の長さが足首用の固定具本体１１よりも短く、全体として足首用の固定具本体１１よりも一回り小さいサイズに形成されている。
【００６９】
ひじ用の固定具本体１２には、足首用の固定具本体１１と同様に、装着テープ６１が設けられている。装着テープ６１は、固定具本体１２の端部付近の２箇所に設けられている。そして、この装着テープ６１を固定具本体１２の外周に巻き付けることによって、固定具本体１２を患部に固定することができる。装着テープ６１は、図７に示す例と同様に、固定具本体１２に一周以上巻き付けることができる長さを有し、折り畳まれた状態で固定具本体１２に取り付けられている。装着テープ６１の具体的構成とその作用効果は、前述した通りである。
【００７０】
図９に示すように、固定具本体１２の側面部３２ａ，３２ｂの端縁には、突出部３９が形成されている。この突出部３９は、装着テープ６１に隣接する位置に配置されている。そして、突出部３９は、装着テープ６１のズレを防止するための位置決め部として機能している。突出部２９の先端は円弧状に丸められ、周囲に接触した場合の刺激を和らげることができる。
【００７１】
図８に示すように、固定具本体１２には、各種の説明を表示するための領域Ｅ２が設けられている。例えば、領域Ｅ２には、図１０に示すように、固定具本体１２の組立方法を説明する図や文章の表示、完成した状態を説明する図や文章の表示がなされている。また、領域Ｅ２には、図１１に示すように、使用形態（使用方法）を説明する図や文章の表示もなされている。領域Ｅ２には、図６に示すような注意書も表示されている。
【００７２】
ひじ用の固定具本体１２は、図１１に示す使用形態のように、紐によって首から吊り下げることができるようになっている。図８に示すように、ひじ用の固定具本体１２の下面部３１には、紐を通すための通し孔３１ａが２か所に形成されている。そして、図１２に示すように、紐６６を２か所の通し孔３１ａに通すことによって、固定具本体１２に紐６６を取り付けることができる。紐６６は、後述するように、緩衝部材６７（図１９参照）とともに、付属品としてシート状部材１０とセットで提供することができる。紐６６は、ひじ用の固定具本体１２を首から吊り下げる用途に限らず、例えば装着テープ６１の代用とすることもできる。
【００７３】
＜手首・指用＞
図１３は手首・指用の固定具本体１３の展開図、図１４は手首・指用の固定具本体１３の組立図である。
手首・指用の固定具本体１３は、長方形状の背面部４１と、この背面部４１の両側の長辺に接続された側面部４２とを備えている。背面部４１と側面部４２との境界には山折用の折り目線４４が形成されている。また、各側面部４２には、指を挿入することができる挿入孔４３が形成されている。
【００７４】
手首・指用の固定具本体１３は、各折り目線４４で山折りすることによって、図１４に示すように断面コの字状に組み立てられる。そして、背面部４１と側面部４２によって囲まれた空間に手首及びその周辺部位を挿入することよって、固定具本体１３を、手首・指用の副木として使用することができる。
【００７５】
手首・指用の固定具本体１３には、足首用の固定具本体１１と同様に、複数の装着テープ６１が設けられている。具体的には、３本の装着テープ６１が、背面部４１から一方の側面部４２にかけて取り付けられている。また、装着テープ６１は、図７に示す例と同様に、固定具本体１３に一周以上巻き付けることができる長さを有し、折り畳まれた状態で固定具本体１３に取り付けられている。装着テープ６１の具体的構成や作用効果は、前述した通りである。
【００７６】
図１５に示すように、各側面部４２に形成された挿入孔４３には、固定具本体１３内に挿入した手の親指を挿入させることができる。これにより、当該親指を固定具本体１３の外側に突出させることができ、固定具本体１３の側面部４２をより患部に沿わせた状態にすることができる。また、挿入孔４３に親指を挿入すると手首の動きが側面部４２によって制限されるため、手首をより確実に固定することができる。なお、挿入孔４３は、両側の側面部４２に形成されているので、固定具本体１３内に右手、左手のいずれを挿入した場合でも挿入孔４３に親指を挿入することができる。また、親指を挿入した挿入孔４３とは反対側の挿入孔４３には、手の小指を挿入してもよい。
【００７７】
固定具本体１３は、先端部４２ａが円弧状に丸められている。これにより、手首に装着した固定具本体１３が周囲に接触した場合に、刺激を和らげることができる。
各側面部４２の端縁の２箇所には、突出部４９ａが形成されている。この突出部４９ａは、装着テープ６１に隣接する位置に配置されている。そして、この突出部４９ａは、装着テープ６１のズレを防止するための位置決め部として機能している。
【００７８】
また、各側面部４２の端縁の１箇所には、凹部４９ｂが形成されている。この凹部４９ｂは、装着テープ６１の位置に対応して配置されている。そして、この凹部４９ｂに収まるように装着テープ６１を巻き付けることで、装着テープ６１を位置決めすることができる。
【００７９】
図１３に示すように、手首・指用の固定具本体１３には、各種の説明を表示するための領域Ｅ２が設けられている。例えば、領域Ｅ２には、図１５に示したような使用形態を説明する図や、使用方法の説明等を表示することができる。また、領域Ｅ２には、図６に示すような注意書も表示することができる。
【００８０】
＜万能用（汎用）＞
図１６は万能用の固定具本体１４の展開図、図１７は万能用の固定具本体１４の組立図である。
万能用の固定具本体１４は、特定の部位に使用されるのではなく、腕や脚等のあらゆる患部に対して汎用的に用いることができる。また、万能用の固定具本体１４は、他の固定具本体１１〜１３と組み合わせて用いることもできる。
【００８１】
万能用の固定具本体１４は、長方形状の背面部５１と、この背面部５１の両側の長辺に接続された一対の側面部５２とを備えている。背面部５１と側面部５２との境界には山折用の折り目線５４が形成されている。側面部５２の両端には突出部５９が設けられている。
【００８２】
万能用の固定具本体１４は、各折り目線５４で山折りすることによって、図１７に示すように断面コの字状に組み立てられる。そして、背面部５１と側面部５２とによって囲まれた空間に患部を挿入することによって、当該固定具本体１４を副木として使用することができる。なお、万能用の固定具本体１４は、前述した手首・指用の固定具本体１３と略同じ大きさに形成されており、当該固定具本体１３と同様の使用形態に適している。
【００８３】
万能用の固定具本体１４には、足首用の固定具本体１１と同様に、複数の装着テープ６１が設けられている。具体的には、２本の装着テープ６１が、背面部５１から一方の側面部５２にかけて取り付けられている。また、装着テープ６１は、図７に示す例と同様に、固定具本体１４に一周以上巻き付けることができる長さを有し、折り畳まれた状態で固定具本体１４に取り付けられている。装着テープ６１の具体的構成や作用効果は、前述した通りである。
【００８４】
固定具本体１４には、各種の説明を表示するための領域Ｅ２が設けられている。例えば、領域Ｅ２には、図１８に示すように、固定具本体１４の使用形態を説明する図や文章が表示されている。領域Ｅ２には、図６に示すような注意書を表示することもできる。
図１８には、２つの使用形態が表示されている。一つは、アキレス腱を縮めた状態で足首を固定する形態が表示されている。もう一つは、万能用の固定具本体１４を、足首用の固定具本体１１と組み合わせて使用する形態が表示されている。
【００８５】
この使用形態では、足首用の固定具本体１１が万能用の固定具本体１４によって延長されている。これにより、２つの固定具本体１１，１４を用いて膝から下の部分全体を固定することができる。万能用の固定具本体１４は、その一端部が固定具本体１１の内側に重ね合わされている。そして、両方の固定具本体１１，１４の重複部分に装着テープ６１が巻き付けられることによって、両者１１，１４が連結されている。
【００８６】
また、万能用の固定具本体１４は、手首・指用の固定具本体１３と組み合わせることによって、腕を広範囲で固定することができる。
図１６に示すように、万能用の固定具本体１４には、背面部５１と一方の側面部５２との間に複数の折り目線５４が並行して形成されている。そして、複数の折り目線５４のうち、いずれかを選択することによって、図１７に示すように、固定具本体１４の幅Ｗを調整することができる。
【００８７】
万能用の固定具本体１４は、組合せ相手の固定具本体１１〜１３によって必要な幅Ｗが異なる。例えば、手首・指用の固定具本体１３と組み合わせて使用する場合は、足首用の固定具本体１１と組み合わせて使用する場合よりも幅Ｗを小さくする必要がある。万能用の固定具本体１４には、複数の折り目線５４が形成されているので、組み合わせ相手の固定具本体１１〜１３に応じて幅Ｗを調整することができる。複数の折り目線５４は、固定具本体１４を大きさを調整する調整部を構成している。
【００８８】
＜付属品＞
本実施形態の患部固定具は、前述のシート状部材１０の他に、付属品として紐６６と緩衝部材６７とを備えている。図１９に示すように、紐６６は、布製で帯状に形成されている。そして、紐６６は、適当な長さで折り畳まれている。
緩衝部材６７は、内部に気泡を有する合成樹脂材により形成され、弾性変形可能である。緩衝部材６７は、長方形の板形状に形成されている。
【００８９】
本実施形態では、１本の紐６６と２枚の緩衝部材６７とが、シート状部材１０の付属品として提供される。紐６６と緩衝部材６７とは、例えば、一つの袋６８に詰められた状態でシート状部材１０に添付されるようになっている。
緩衝部材６７の短辺の長さＬ１は、固定具本体１１〜１４の背面部及び下面部の短辺の寸法のうち、最も小さいものよりも若干小さい寸法に形成されている。そのため、緩衝部材６７は、一対の側面部の間に収めることが可能となっている。また、緩衝部材６７の長辺の長さＬ２は、固定具本体１１〜１４の背面部及び下面部の長辺の寸法のうち、最も小さいものと略同じ寸法に形成されている。そのため、緩衝部材６７は、固定具本体１１〜１４から突出しないように一対の側面部の間に収めることができる。
【００９０】
図２０は、緩衝部材６７の使用形態の一例を示す図である。コの字状に組み立てられた固定具本体１１〜１４に患部Ｋを挿入したときに、患部Ｋと固定具本体１１〜１４との間に大きな隙間が生じていると、患部を安定して固定することが困難となる。この場合、１又は２枚の緩衝部材６７を患部Ｋと固定具本体１１〜１４との間に挿入することで当該隙間を埋めることができる。また、緩衝部材６７は、患部の下側に敷くこともできる。
【００９１】
図２１は、緩衝部材６７の使用形態の他の例を示す図である。この例では、足首用の固定具本体１１を用いる際に、足の裏と下面部２３との間に湾曲させた緩衝部材６７を挿入している。これにより、例えば、アキレス腱を伸ばすことができない状態であっても、足と固定具本体１１との間に生じた隙間を埋めることができ、患部を安定して固定することができる。
【００９２】
緩衝部材６７は、固定具本体１１〜１４とは別体で備わっているので、必要なときだけ固定具本体１１〜１４とともに使用することができる。緩衝部材６７を固定具本体１１〜１４に固定するため、予め緩衝部材６７には両面テープを貼り付けておいてもよい。
【００９３】
以上に説明した本実施形態の患部固定具は、平坦なシート状部材１０を備えており、このシート状部材１０が、その一部を切り離して折り曲げることによって副木を構成する固定具本体１１〜１４を含んでいる。そして、固定具本体１１〜１４は、シート状部材１０の残部１０ａによってその外周縁が取り囲まれる。したがって、固定具本体１１〜１４は、シート状部材１０の残部１０ａによって保護され、かつ補強される。そのため、シート状部材１０の保管時や携行時に固定具本体１１〜１４の端縁が折れ曲がったり、損傷したりすることはほとんどない。
【００９４】
シート状部材１０は、複数の固定具本体１１〜１４を含んでいるので、一枚のシート状部材１０を複数の患部の固定のために用いることができる。例えば、事故や災害等によって複数箇所の負傷が発生したり、複数人の負傷者が発生した場合であっても一枚のシート状部材１０によって対応することが可能となる。
【００９５】
また、シート状部材１０は、使用箇所（用途）の異なる複数種類の固定具本体１１〜１４を含んでいるので、一枚のシート状部材１０の中から負傷した部位に応じた固定具本体１１〜１４を選択し、適切に患部を固定することができる。
【００９６】
シート状部材１０は、段ボール紙により構成されているので、安価に構成することができる。そのため、例えば、多数枚のシート状部材１０を常備する場合でも購入費用を抑制することができる。また、段ボール紙は軽量であるので、複数枚のシート状部材１０を携行する際の負担も軽減することができる。また、段ボール紙は、患部の固定に必要な強度を十分に有しているので、固定具本体１１〜１４により患部を確実に固定することができる。また、シート状部材１０は紙製であるので、シート状部材１０の残部や使用済みの固定具本体、使用せずに不要になった固定具本体等は、容易に廃棄したりリサイクルしたりすることができる。
【００９７】
なお、固定具本体は、折り曲げることによって組み立てるに限らず、例えば患部に沿わせて湾曲させることによって組み立て、副木として用いるように構成してもよい。
また、シート状部材１０には、同一形状（同一用途）の固定具本体が複数含まれていてもよい。シート状部材１０には、一つの固定具本体のみが含まれていてもよい。
【００９８】
［変形例］
次に、患部固定具の変形例を説明する。
上記第１の実施形態は、複数の固定具本体１１〜１４が、シート状部材１０の形態で提供されるものであった。本変形例は、予めシート状部材１０から切り離した複数の固定具本体１１〜１４を１つのセットとして提供するものである。セットの形態としては、複数の固定具本体１１〜１４を袋や箱に一纏めに収容した形態とすることができる。また、図１９に示す紐６６及び緩衝部材６７もセットに含めることができる。
【００９９】
このような構成によって、分離された状態であっても複数の固定具本体１１〜１４をまとめて保管したり携行したりすることができる。そして、事故や災害によって負傷者が発生した場合には、負傷した部位に応じた固定具本体１１〜１４を選択して適切に患部を固定することができる。また、各固定具本体１１〜１４には、それぞれの用途が表示されているので、必要な固定具本体１１〜１４を迅速かつ容易に選択することができる。
【０１００】
なお、患部固定具のセットに含まれる固定具本体は、上述した４種類全てでなくてもよく、２種類以上含まれていればよい。また、同種の固定具本体が複数枚含まれていてもよい。この場合であっても、複数個所の患部（両腕、両足等）の固定や、複数人の患部の固定に適用することができる。
なお、患部固定具のセットには、次に説明する首用の固定具本体が含まれていてもよい。
【０１０１】
［第２の実施形態］
図２２は、第２の実施形態に係る患部固定具、すなわち、首用の固定具本体を示す正面図（展開図）、図２３は、首用の固定具本体を示す平面図、図２４は、首用の固定具本体の使用状態を示す平面図、図２５は、首用の固定具本体の使用状態を示す側面図である。
この固定具本体１５は、上記第１及び第２の実施形態の固定具本体１１〜１４と同様に、段ボール紙によって形成されている。そして、固定具本体１５は、患部に巻き付けることによって副木として機能する。
【０１０２】
具体的に、本実施形態の固定具本体１５は、首に巻き付けることによって首を固定する。したがって、固定具本体１５は、首に巻き付けることができるように、帯状に細長く形成されている。
固定具本体１５の一方の端部の表面と、他方の端部の裏面とには、それぞれ対となる面ファスナー７１ａ，７１ｂが取り付けられている。そして、一方の面ファスナー７１ａを他方の面ファスナー７１ｂに貼り付けることによって、固定具本体１５を円形状に湾曲させ、首に巻き付けた状態を保持することができる。なお、面ファスナーに代えて、接着剤を塗布した粘着面を固定具本体１５の一方の端部に設けてもよい。
【０１０３】
固定具本体１５の表面には、患部固定具の製品説明や、応急処置に関する説明等の各種の説明が表示されている。例えば、固定具本体１５には、使用部位（用途）として「首用」という表示がなされている。また、この表示に併せて「Ｎｅｃｋ  ｈｏｌｄ  ｕｓｅ」という英語による用途の表示もなされている。また、固定具本体１５の表面には、首に対する固定具本体１５の位置を示す表示がなされている。具体的に、矢印７４と、「ここにあごをのせてください」という文章が表示されている。その他にも、固定具本体１５の表面には、説明を表示するための領域Ｅ３が設けられている。この領域Ｅ３には、たとえば、図２６に示すように、固定具本体１５の使用形態や使用方法を示す図と文章とが表示されている。
【０１０４】
図２２に示すように、固定具本体１５は、あごをのせる部分に対応して、下方に円弧状に湾曲した形状に形成されている。
固定具本体１５の裏面には、緩衝部材７２が設けられている。この緩衝部材７２は、内部に気泡を有し、弾性変形可能な合成樹脂材により形成されている。
【０１０５】
緩衝部材７２の上下幅は、固定具本体１５の上下幅より大きい寸法とされている。緩衝部材７２は、固定具本体１５から上下両側に突出している。また、緩衝部材７２の厚さは、固定具本体１５の厚さよりも大きい寸法とされている。
緩衝部材７２の長さは、固定具本体１５の長さよりも短い寸法とされている。そして、固定具本体１５の長さ方向の一端部が緩衝部材７２から突出し、その突出部分の裏面に一方の面ファスナー７１ｂが取り付けられている。緩衝部材７２の長さ方向の他端部側は、固定具本体１５から突出している。
【０１０６】
固定具本体１５に対する緩衝部材７２の突出量ｔは、固定具本体１５の厚さよりも大きい寸法とされている。緩衝部材７２の上縁には、あごをのせる位置に対応して円弧状の凹部７２ａが形成されている。
本実施形態の患部固定具は、固定具本体１５の裏面側に緩衝部材７２を備え、この緩衝部材７２が直接首に接触する。そのため、首に対する刺激を和らげることができ、使用者に痛みや不快感を与えないようにすることができる。特に、緩衝部材７２は、固定具本体１５よりも上下に突出しているので、首の付け根周辺やあごの周辺に直接固定具本体１５の周縁が触れることがない。また、緩衝部材７２は、弾性変形することによって首に密着するため、より確実に首を固定することができる。
【０１０７】
なお、図２２に示すように、面ファスナー７１ｂが設けられた固定具本体１５の一端部は緩衝部材７２から突出しているが、この突出部分は、固定具本体１５の他端部の表面に位置するため、直接首に接することはない（図２４参照）。
【０１０８】
固定具本体１５は、図２５に示すように、段ボール紙の段目７５の方向（繊維方向）が上下方向に向くように設定されている。段ボール紙は、段目に直交する方向に容易に湾曲するため、固定具本体１５を首に巻き付けやすくなっている。逆に、段ボール紙は、段目の方向についての強度が高いので、固定具本体１５にあごや肩から上下方向の荷重が付与されたとしても固定具本体１５が湾曲し難くなっている。
【０１０９】
本実施形態において、緩衝部材７２は、固定具本体１５の両面に設けられていてもよい。この場合、固定具本体１５のいずれかの面を選択して用いることができる。
また、本実施形態の固定具本体１５は、首以外の患部に巻き付けて使用するものであってもよい。例えば、固定具本体１５は、腕や脚に巻き付けて使用するものであってもよい。
【０１１０】
本発明に関して、今回開示された実施形態はすべての点で例示であって制限的なものではないと考えられるべきである。本発明の範囲は、前記した意味ではなく、特許請求の範囲と均等の意味及び範囲内でのすべての変更が含まれることが意図される。
例えば、シート状部材１０や各固定具本体１１〜１５は、紙製の段ボールによって構成されていたが、合成樹脂製の段ボールによって構成されていてもよい。また、シート状部材１０や各固定具本体１１〜１５は、厚紙や合成樹脂板によって構成されていてもよい。
固定具本体１１〜１５の外周縁は、波形にカットされていてもよい。これにより、当該外周縁が皮膚に触れたときの刺激を和らげることができる。
【符号の説明】
【０１１１】
１０      ：シート状部材
１０ａ    ：残部
１１      ：固定具本体
１２      ：固定具本体
１３      ：固定具本体
１４      ：固定具本体
１５      ：固定具本体
６１      ：装着テープ
６１ａ    ：先端部
６２      ：粘着面
６３      ：粘着面
６７      ：緩衝部材
７２      ：緩衝部材
７５      ：段目
Ｋ        ：患部
【図１】
2018143782.tif 000003
【図２】
2018143782.tif 000004
【図３】
2018143782.tif 000005
【図４】
2018143782.tif 000006
【図５】
2018143782.tif 000007
【図６】
2018143782.tif 000008
【図７】
2018143782.tif 000009
【図８】
2018143782.tif 000010
【図９】
2018143782.tif 000011
【図１０】
2018143782.tif 000012
【図１１】
2018143782.tif 000013
【図１２】
2018143782.tif 000014
【図１３】
2018143782.tif 000015
【図１４】
2018143782.tif 000016
【図１５】
2018143782.tif 000017
【図１６】
2018143782.tif 000018
【図１７】
2018143782.tif 000019
【図１８】
2018143782.tif 000020
【図１９】
2018143782.tif 000021
【図２０】
2018143782.tif 000022
【図２１】
2018143782.tif 000023
【図２２】
2018143782.tif 000024
【図２３】
2018143782.tif 000025
【図２４】
2018143782.tif 000026
【図２５】
2018143782.tif 000027
【図２６】
2018143782.tif 000028
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
平坦なシート状の部材からなり、かつ変形させることによって副木を構成する固定具本体を複数備え、複数の固定具本体は互いに用途及び形状が異なるものを含む、患部固定具。
【請求項２】
各固定具本体には、その用途が表示されている、請求項１に記載の患部固定具。
【請求項３】
他の固定具本体と組み合わせて用いる組合せ用の固定具本体を含む、請求項１又は２に記載の患部固定具。
【請求項４】
前記組合せ用の固定具本体は、前記他の固定具本体に応じて形状を調整する調整部を含む、請求項３に記載の患部固定具。
【請求項５】
前記固定具本体を患部へ装着するための装着用テープが取り付けられた固定具本体を含み、
前記装着テープは、一端部が前記固定具本体に取り付けられ、他端部に、粘着性を有する粘着部が設けられている、請求項１〜４のいずれか１項に記載の患部固定具。
【請求項６】
前記装着テープの一端部と他端部との間は非粘着性である、請求項５に記載の患部固定具。
【請求項７】
前記装着テープは、患部に装着した前記固定具本体の外周に一周以上巻き付けることができる長さを有している、請求項５又は６に記載に患部固定具。
【請求項８】
手首を固定する固定具本体を含み、
当該固定具本体には、指を通す孔が形成されている、請求項１〜７のいずれか１項に記載の患部固定具。
【請求項９】
患部に巻いて使用する固定具本体を含み、
当該固定具本体の少なくとも一面に緩衝部材が取り付けられている、請求項１〜８のいずれか１項に記載の患部固定具。
【請求項１０】
前記緩衝部材は、周縁の一部が前記固定具本体から突出している、請求項９に記載の患部固定具。
【請求項１１】
前記緩衝部材は、前記固定具本体を患部に巻き付ける方向に直交する方向へ当該固定具本体から突出している、請求項１０に記載の患部固定具。
【請求項１２】
段ボール製であって患部に巻いて使用する固定具本体を含み、
当該固定具本体は、段ボールの段目の方向が患部に巻き付ける方向に直交している、請求項１〜８のいずれか１項に記載の患部固定具。
【請求項１３】
前記患部が首である、請求項９〜１２のいずれか１項に記載の患部固定具。